(57)【要約】【課題】携帯機の登録モードと操作システムの変更モードの選択を容易に且つ迅速で確実に行うことができる建物用ドア施解錠システムを提供する。【解決手段】コントローラ１３は、設定スイッチ２０の操作がなされると携帯機登録モードに切り換わると共に、設定スイッチ２０の操作がなされた後に意思確認スイッチ１５の操作がなされた場合には非接触システムと意思確認システムとを切り換える操作システム変更モードに切り換わる構成とした。【選択図】図１
2005155267.tif 000002
【特許請求の範囲】
【請求項１】
予めメモリに登録されているＩＤコードの信号を送信する携帯機と、携帯機から受信した信号を処理するコントローラとこのコントローラのモードを設定するための設定スイッチを有し建物のドア側に設けられる施解錠装置と、ドア近傍に設置されてドアの施解錠もしくは開閉の意思を確認するための意思確認スイッチとからなる建物用ドア施解錠システムであって、この建物用ドア施解錠システムには、前記施解錠装置と前記携帯機との間の無線信号送受信により非接触にてドアの施解錠もしくは開閉を制御する非接触システムと、前記施解錠装置と前記携帯機との間の無線信号送受信がなされる状態において前記意思確認スイッチを操作することによりドアの施解錠もしくは開閉を制御する意思確認システムとを有し、前記コントローラは、前記設定スイッチの操作がなされると携帯機登録モードに切り換わると共に、前記設定スイッチの操作がなされた後に前記意思確認スイッチの操作がなされた場合には前記非接触システムと意思確認システムとを切り換える操作システム変更モードに切り換わるようにしたことを特徴とする建物用ドア施解錠システム。
【請求項２】
前記コントローラは、前記設定スイッチの操作がなされた後にドアが閉められると携帯機登録モードに切り換わると共に、前記設定スイッチの操作がなされた後にドアが閉められ前記意思確認スイッチの操作がなされた場合には前記非接触システムと意思確認システムとを切り換える操作システム変更モードに切り換わることを特徴とする請求項１に記載の建物用ドア施解錠システム。
【請求項３】
前記コントローラは、前記設定スイッチの操作がなされてから所定時間後に通常モードに復帰すると共に、携帯機登録モードにおいて登録数が一定値に達した場合もしくはシステム選択モードにおいて操作システムの変更を行った場合には前記所定時間内でもすみやかに通常モードに復帰することを特徴とする請求項１または請求項２に記載の建物用ドア施解錠システム。
【請求項４】
前記コントローラは、前記の携帯機登録モードにて携帯機の登録を行った際は、前記所定時間を経過するまで前記操作システム選択モードに切り換わらないことを特徴とする請求項３に記載の建物用ドア施解錠システム。
【発明の詳細な説明】
【技術分野】
【０００１】
本発明は、建物用ドア側に設けられる施解錠装置と各携帯機との間で無線信号を送受信することにより建物用ドアの施解錠状態をコントロールする建物用ドア施解錠システムに関する。
【背景技術】
【０００２】
従来より、建物のドア側（ドア又はその近傍）に設けられる施解錠装置と、建物の住居者、管理者、特定出入り業者等が所持する携帯機との間で無線信号を送受信することによりドアの施解錠状態をコントロールする建物用ドア施解錠システムが用いられている。
【０００３】
この種の施解錠システムにおいては、建物のドア側に設けられる施解錠装置が電磁波を通信媒体としてチャレンジコード信号と呼出しコード信号を送信する。
【０００４】
そして、携帯機を所持した者がそれらの信号の伝播領域に入ると、携帯機がチャレンジコード信号と呼出しコード信号に応動してレスポンスコードを電波信号として出力する。
【０００５】
手動開閉式ドアの場合、施解錠装置は送受信機、電動施解錠機構、錠部、コントローラ等を備えており、施解錠装置の送受信機が携帯機からのレスポンスコード信号を受信すると、コントローラはこのレスポンスコード信号が正規信号であるか否かを判定し、その判定結果に基づいてドアの電動施解錠機構を制御し、錠部を施解錠させる。
【０００６】
また、自動ドアの場合、施解錠装置は送受信機、電動ドア開閉機構、コントローラ等を備えており、施解錠装置の送受信機が携帯機からのレスポンスコード信号を受信すると、コントローラはこのレスポンスコード信号が正規信号であるか否かを判定し、その判定結果に基づいて電動ドア開閉機構を制御し、ドアを開動作させる。
【０００７】
上記したチャレンジコード信号は、コントローラで生成される任意の乱数コードの信号であり、このコード信号は休止中である携帯機を起動させるためのものである。
【０００８】
また、呼出しコード信号は、呼び出しに対応する携帯機のＩＤコードに関連してコントローラに登録されているコード信号である。
【０００９】
施解錠装置のコントローラは、チャレンジコード信号を送信機から送信するときに、登録されている携帯機のＩＤコードとチャレンジコードとからレスポンスコード（内部レスポンスコード）を作成し、メモリに記憶する。
【００１０】
一方、施解錠装置からのチャレンジコード信号を受信した携帯機は、予め携帯機に登録されているＩＤコードと受信したチャレンジコードとからレスポンスコードを作成し、メモリに記憶するとともに、このレスポンスコードを電波信号にして施解錠装置に送り返す。
【００１１】
そして、携帯機からのレスポンスコード信号を受信した施解錠装置においては、コントローラがその受信信号から得たレスポンスコード（外部レスポンスコード）と、予めメモリに記憶してあるレスポンスコード（内部レスポンスコード）とを比較し、両者が一致する場合に所定の施解錠動作制御を行う。
【００１２】
上記の建物用ドア施解錠システムは、建物の住居者、管理者、特定出入り業者等が携帯機を所持した状態で特別な操作をすることなく、ドアから一定距離以内に近づくと施解錠装置が非接触にて解錠され、ドアから一定距離以上離れると施解錠装置が非接触にて施錠される構成であり、スマートエントリーシステムと呼ばれるものである。
【００１３】
さらに、この種の施解錠システムにおいては、錠部のキー挿入口より差し入れたキーによって手動で施解錠することができる一方、キーレスエントリーシステムを取り入れた構成のものがある。
【００１４】
キーレスエントリーシステムは、携帯機の送信スイッチ釦を押圧操作して施解錠装置をリモートコントロールする構成のものである。
【００１５】
すなわち、送信スイッチ釦を押圧操作すると、携帯機がＩＤコード信号を出力し、このＩＤコード信号を受信した施解錠装置のコントローラがこの受信ＩＤコードと予めメモリに記憶してある登録ＩＤコードとを比較し、これら２つのＩＤコードが一致する場合に所定の施解錠動作制御を行う構成となっている。
【００１６】
さらに、建物ドア用の施解錠装置としては、上記チャレンジコード信号と呼出しコード信号を間欠的に送信し続けているものが一般的であるが、電気の節約のために、携帯機の所持者が施解錠意思確認スイッチ（タッチキー）に触れて施解錠の意志を示したときに、その意志確認を条件として電動施解錠機構を解錠又は施錠動作させるように構成したものがあり、タッチキーシステムと呼ばれている。
【特許文献１】特公平０３−０４７３８６号公報
【特許文献２】特開２００１−２５４５４８号公報
【発明の開示】
【発明が解決しようとする課題】
【００１７】
建物用ドア施解錠システムにおいては、上記のスマートエントリーシステムとタッチキーシステムといった操作システムを携帯機の所持者が自由に切り換えることができることが望ましいが、従来の建物用ドア施解錠システムでは導入時にスマートエントリーシステムもしくはタッチキーシステムのどちらかを選択し、施解錠システムを導入した後では変更をすることができないものとなっていた。
【００１８】
そこで、本発明では、携帯機の登録モードと操作システムの変更モードの選択を容易に且つ迅速で確実に行うことができる建物用ドア施解錠システムを提供することを目的としている。
【課題を解決するための手段】
【００１９】
前記課題を解決するため、本発明は第１の発明として、予めメモリに登録されているＩＤコードの信号を送信する携帯機と、携帯機から受信した信号を処理するコントローラとこのコントローラのモードを設定するための設定スイッチを有し建物のドア側に設けられる施解錠装置と、ドア近傍に設置されてドアの施解錠もしくは開閉の意思を確認するための意思確認スイッチとからなる建物用ドア施解錠システムであって、この建物用ドア施解錠システムには、前記施解錠装置と前記携帯機との間の無線信号送受信により非接触にてドアの施解錠もしくは開閉を制御する非接触システムと、前記施解錠装置と前記携帯機との間の無線信号送受信がなされる状態において前記意思確認スイッチを操作することによりドアの施解錠もしくは開閉を制御する意思確認システムとを有し、前記コントローラは、前記設定スイッチの操作がなされると携帯機登録モードに切り換わると共に、前記設定スイッチの操作がなされた後に前記意思確認スイッチの操作がなされた場合には前記非接触システムと意思確認システムとを切り換える操作システム変更モードに切り換わる構成としている。
【００２０】
また、第２の発明として、前記コントローラは、前記設定スイッチの操作がなされた後にドアが閉められると携帯機登録モードに切り換わると共に、前記設定スイッチの操作がなされた後にドアが閉められ前記意思確認スイッチの操作がなされた場合には前記非接触システムと意思確認システムとを切り換える操作システム変更モードに切り換わる構成としている。
【００２１】
さらに、第３の発明として、前記コントローラは、前記設定スイッチの操作がなされてから所定時間後に通常モードに復帰すると共に、携帯機登録モードにおいて登録数が一定値に達した場合もしくは操作システム変更モードにおいて操作システムの変更を行った場合には前記所定時間内でもすみやかに通常モードに復帰する構成としている。
【００２２】
さらに、第４の発明として、前記コントローラは、前記の携帯機登録モードにて携帯機の登録を行った際は、前記所定時間を経過するまで前記操作システム選択モードに切り換わらない構成としている。
【発明の効果】
【００２３】
本発明の建物用ドア施解錠システムでは、建物のドア側に設けられる施解錠装置のコントローラを、設定スイッチにより携帯機登録モードに切り換えた後、携帯機の送信スイッチ釦を操作するだけの簡単な操作で施解錠装置に携帯機を登録させることができ、また、携帯機登録モードにおいてタッチキーを操作するだけの簡単な操作で、操作システム変更モードへ移行して現在の操作システムを変更できる。
【００２４】
第２の発明により、設定スイッチを押しただけでは携帯機登録モードへは移行せず、扉を閉めるという動作を必要とすることで、操作する者が不用意に携帯機登録モードへ操作してしまうことを防ぎ、誤操作を防止することができる。
【００２５】
第３の発明により、操作性がよく、必要な操作を行った後すみやかに通常モードへ復帰することができる。
【００２６】
第４の発明により、設定スイッチの１回の操作にて携帯機登録モードと操作システム変更モードのどちらかを選択でき、操作する者がなにを変更したのかを簡単に把握することができる。
【発明を実施するための最良の形態】
【００２７】
以下、本発明の実施の形態を図面にしたがって説明する。
【実施例１】
【００２８】
図１（ａ）、（ｂ）は本発明の建物用ドア施解錠システムを建物の手動開閉式ドアに適用した場合の一実施形態を示したものである。
【００２９】
図１（ａ）に示すように、ドア１０の外面には、施解錠装置の外側錠部１１と、外側ドアハンドル１２を設け、また、このドア１０には埋設するようにして施解錠装置のコントローラ１３が配設してある。５０は携帯機である。
【００３０】
外側錠部１１は、その正面にはシリンダ錠のキー挿入部１４、タッチキー１５、施解錠の表示部１６、コード信号の送受信部所１７を有している。
【００３１】
また、図示は省略するが、外側錠部１１は、内部に送信アンテナ、受信アンテナ、コンデンサ、タッチキーのスイッチ部などが配設してある。
【００３２】
外側錠部１１内の送信アンテナは磁性体に導電線を巻回して形成したもので、この送信アンテナとコンデンサとで直列共振回路を形成している。
【００３３】
すなわち、直列共振回路の共振電流を利用してチャレンジコード信号と呼び出しコード信号とを順次送信アンテナより繰り返し送信させる。
【００３４】
そして、このチャレンジコード信号と呼び出しコード信号は、周辺無線機器への電波障害を考慮して、距離減衰性の高い電磁波を送信媒体とし、例えば、ＬＦ（１２５ｋＨｚ）磁界信号として送信する。
【００３５】
また、外側錠部１１内の受信アンテナは、棒状の導電休からなる公知のアンテナで、携帯機５０（図１参照）から送られる高周波電波、例えば、ＲＦ(３１５ＭＨｚ）のレスポンスコード信号を電波信号として受信する。
【００３６】
携帯機５０はキーレスエントリー用のコード信号を送信するための送信スイッチボタン５１を有しており、この送信スイッチボタン５１が押されたとき、携帯機５０は携帯機５０に予め記憶されている固有のＩＤコードを暗号化してＩＤコード信号とし、無線信号にして送信することができる。
【００３７】
そして、外側錠部１１内の受信アンテナは、携帯機５０からのＩＤコード信号も同様に電波信号として受信することができる。
【００３８】
表示部１６は施錠状態で緑色光を、解錠状態で赤色光を表示するもので、施解錠する者が視覚を通して施錠と解錠とを確認できるようにしてある。
【００３９】
上記した外側錠部１１の送受信信号はコントローラ１３によって信号処理される。
【００４０】
すなわち、このコントローラ１３は、ＣＰＵの他にＲＡＭ、ＲＯＭなどのメモリ（記憶手段）、タイマー等を有する制御回路を有し、このコントローラ１３の制御下にチャレンジコード信号と呼び出しコード信号とを外側錠部１１内の送信アンテナより出力させることができる。
【００４１】
チャレンジコード信号は任意の乱数コード信号である。
【００４２】
また、呼び出しコード信号は、予めコントローラ１３に設定された呼び出しコードから、携帯機５０のコントローラ１３への登録順に従って作成したもので、携帯機５０のＩＤコードに対応させてメモリに記憶させて保持する。
【００４３】
また、このコントローラ１３は、外側錠部１１内の受信アンテナが受信したレスポンスコード信号を入力し、このレスポンスコードと送信したチャレンジコードから生成してメモリに記憶されている内部レスポンスコードとを比較し、これらコードが一致したとき、解錠準備モードとなる。
【００４４】
なお、レスポンスコード信号は、携帯機５０のＩＤコードと受信したチャレンジコードから施解錠装置側と同様に算出されたコード信号であり、携帯機５０より出力させる。
【００４５】
さらに、コントローラ１３は、解錠準備モードにおいてタッチキー１５を操作すると、そのスイッチ信号の入力に応動し、施解錠機構１８の電動駆動部を解錠制御し、施錠状態となっているデッドボルト１９を退出させ解錠させる。
【００４６】
なお、解錠した後、ドア１０を開閉したとき、または、所定時間内にドア１０を開閉しないときは、コントローラ１３が施解錠機構１８の電動駆動部を制御して施錠させる。
【００４７】
図１に示した外側ドアハンドル１２はラッチ機構を連動する構成となっており、例えば、引き開きドアの場合は、ドアハンドル１２を引き操作すると、ラツチボルト（図示省略）が後退してドアを開くことができる。また、ドアハンドル１２の引き操作を解放すると、ラッチ機構が自動的に復動する。
【００４８】
コントローラ１３は設定スイッチ２０を備えており、この設定スイッチ２０は、図１（ｂ）に示すように、ドア１０の自由端側の端面に開口した小孔２１から差し込まれるピン２２等の工具類によりスイッチ動作させることができるようになっており、小孔２１には着脱可能な栓、例えば小ねじ２３がねじ込まれて取り付けられている。
【００４９】
図２は建物用ドア施解錠システムにおける施解錠装置が通常モードの際のコントローラの処理動作を示すフローチャートである。
【００５０】
図２に示すように、施解錠装置のコントローラ１３は、まず、現在のシステムがスマートエントリーシステムか否かを判定する（ＳＴ１００）。スマートエントリーシステムである場合には、携帯機５０からのＲＦコード信号をコントローラ１３が受信していない状態から受信が開始されたか、つまり携帯機５０がコントローラ１３に近づいたか否かを判定する（ＳＴ１０１）。具体的には、コントローラ１３のメモリに一時的に記憶されている前回のＲＦコード信号の受信結果と、現在のＲＦコード信号の受信結果を比較する。
【００５１】
コントローラ１３は、携帯機５０が近づいたと判定した場合には、施解錠装置１８の施解錠状態を判定し、施錠されていればコントローラ１３から施解錠装置１８に解錠信号を出力し、解錠したことを報知するブザーを２回鳴動する（ＳＴ１０２、ＳＴ１１０、ＳＴ１１１）。このとき、表示部１６は解錠状態を示す赤色光に点灯する。
【００５２】
また、コントローラ１３は、前回の受信結果と同様に携帯機５０からＲＦコードの受信がないか、または受信状態に変化がない場合には、今度は逆に、携帯機５０からのＲＦコード信号をコントローラ１３が受信している状態から受信しなくなったのか、つまり携帯機５０がコントローラ１３から遠ざかったか否かを判定する（ＳＴ１０３）。ステップＳＴ１０１と同様、ここでもコントローラ１３のメモリに記憶されている前回のＲＦコード信号の受信結果と、現在のＲＦコード信号の受信結果を比較する。携帯機５０がコントローラ１３から遠ざかったと判定した場合には、施解錠装置１８の施解錠状態を判定し、解錠されている場合にはコントローラ１３から施解錠装置１８に施錠信号を出力し、施錠したことを報知するブザーを１回鳴動する（ＳＴ１０４、ＳＴ１０８、ＳＴ１０９）。このとき、表示部１６は赤色光から施錠状態を表す緑色光に変化し、所定時間後に消灯する。
【００５３】
ステップＳＴ１００においてタッチキーシステムであると判定された場合、ステップＳＴ１０２において施解錠装置１８が解錠されている場合、ステップＳＴ１０３においてコントローラ１３の受信状態に変化がない場合、およびステップＳＴ１０４において施解錠装置１８が施錠されている場合は、次に、コントローラ１３の近傍に携帯機５０が存在するか否かを判定する（ＳＴ１０５）。携帯機５０がコントローラ１３の近くにあると判定された場合には、今度はタッチキー１５が押されたか否かを判定する（ＳＴ１０６）。
【００５４】
タッチキー１５が押された場合には施解錠装置１８の施解錠状態を判定し、施解錠装置１８が解錠状態であればコントローラ１３から施解錠装置１８に施錠信号を出力し、施錠したことを報知するブザーを１回鳴動する（ＳＴ１０７、ＳＴ１０８、ＳＴ１０９）。このとき、表示部１６は赤色光から緑色光に変化する。施解錠装置１８が施錠状態であればコントローラ１３から施解錠装置１８に解錠信号を出力し、解錠したことを報知するブザーを２回鳴動する（ＳＴ１０７、ＳＴ１１０、ＳＴ１１１）。このとき、表示部１６は緑色光から赤色光に変化する。
【００５５】
施解錠装置１８が施錠または解錠動作を行った後は、ステップＳＴ１００へリターンする。なお、ステップＳＴ１０５において携帯機５０がコントローラ１３の近傍に存在しない場合、また、ステップＳＴ１０６においてタッチキー１５が押されていない場合にも、ステップＳＴ１００へリターンする。
【００５６】
上記のように、スマートエントリーシステムでは、携帯機５０がコントローラ１３に近づいた場合にドア１０が自動的に解錠され、携帯機５０がコントローラ１３から遠ざかった場合にドア１０が自動的に施錠される。また、コントローラ１３の近傍に携帯機５０が存在する場合には、ユーザーがタッチキー１５を押す毎に施解錠装置１８が施錠、解錠を繰り返す構成となっている。これは、スマートエントリーシステムの受信エリア内、つまりドア１０から所定距離以内のエリアにユーザーが留まっている際、ユーザーが気付かぬ間に第三者がドア１０を開けて入室してしまう等といったことを防止するためであり、利便性が良いと同時にユーザーの施解錠意思を反映させることができ防犯性も確保できる。
【００５７】
また、タッチキーシステムでは、コントローラ１３に携帯機５０が接近したり離れたりするだけでは施解錠装置１８が施解錠されず、コントローラ１３の近傍に携帯機５０が存在する場合に、タッチスイッチ１５を押す毎に施解錠装置１８が施錠、解錠を繰り返す構成となっている。ユーザーが施解錠の意思を持ってタッチキー１５に触れたときにのみドア１０が施解錠されるため、施解錠されたかを不安に感じることがなく、ドア１０の近くに留まっている際にドア１０が解錠された状態で放置されるということがないため防犯性に優れている。
【００５８】
図３は建物用ドア施解錠システムが携帯機登録モードおよび操作システム変更モードの際のコントローラの処理動作を示すフローチャートである。
【００５９】
図３に示すように、施解錠装置のコントローラ１３は、設定スイッチ２０が押し操作されると、先ず携帯機登録モードが開始されたことを通知するブザーを鳴動し、例えば３０秒に時間設定されたタイマをセット（開始）して携帯機５０からの無線信号コード受信待ち状態となる（ＳＴ２００、ＳＴ２０１、ＳＴ２０２）。
【００６０】
送信機５０の作動についてフローチャートを用いての説明は省略するが、送信機５０の送信スイッチ釦５１が押し操作されると予めメモリ（記億部）に記憶されている固有のＩＤコードを読み出し、これをローリングコード演算して暗号化し、さらに高周波無線信号（ＲＦコード信号）に変換して送信する。
【００６１】
施解錠装置１８の外側錠部１１が携帯機５０からの上記ＲＦコード信号を受信すると、コントローラ１３はＲＦコード信号受信の判定をする（ＳＴ２０３）。
【００６２】
ここで、コントローラ１３に１つもＩＤコードが登録されていない状態であれば、受信したＩＤコードを正式のＩＤコードとしてコントローラ１３のメモリに記憶（登録）する（ＳＴ２０４、ＳＴ２０６）。コントローラ１３に１つでもＩＤコードが登録されている状態であれば、受信したＩＤコードとコントローラ１３のメモリに記憶されているＩＤコードとが一致するかどうか比較を行い、一致しない場合には受信したＩＤコードを正式のＩＤコードとしてコントローラ１３のメモリに記憶（登録）する（ＳＴ２０４、ＳＴ２０５、ＳＴ２０６）。受信したＩＤコードがコントローラ１３のメモリに登録されているＩＤコードと一致する場合にはステップＳＴ２１３へ進む。
【００６３】
その後、ＩＤコードの登録数を＋１とする（ＳＴ２０７）。ここで、登録されているＩＤコード数が最大数、例えば８個に達した場合には、設定モードが終了したことを通知するブザーを鳴動し、登録されたＩＤコード数である８回のブザーを鳴動した後、通常モードへ復帰する（ＳＴ２０８、ＳＴ２１８、ＳＴ２１９、ＳＴ２２０）。
【００６４】
登録されたＩＤコード数が最大数に達していない場合には、登録されたＩＤコード数だけブザーを鳴動し、次に、今回の携帯機登録モードにおいてコントローラ１３のメモリにＩＤコードが１つ以上登録されたか否かを判定する（ＳＴ２０８、ＳＴ２０９、ＳＴ２１０）。コントローラ１３のメモリにＩＤコードが１つ以上登録された場合には、ステップＳＴ２０２においてタイマがセットされてから３０秒経過したか否かを判定し、３０秒が経過していたら携帯機登録モードが終了したことを通知するブザーを鳴動し、登録されたＩＤコード数だけブザーを鳴動した後、通常モードへ復帰する（ＳＴ２１０、ＳＴ２１２、ＳＴ２１８、ＳＴ２１９、ＳＴ２２０）。３０秒が経過していない場合には、ステップＳＴ２０３へリターンする。
【００６５】
ステップＳＴ２１０において、今回の携帯機登録モードにおいてコントローラ１３のメモリに１つもＩＤコードが登録されていない場合には、タッチキー１５が押されたか否かを判定し、タッチキー１５が押されている場合には操作システム変更モードに移行する（ＳＴ２１１）。
【００６６】
操作システム変更モードでは、まず現在のシステムがスマートエントリーシステムか否かを判定する（ＳＴ２１３）。スマートエントリーシステムである場合にはタッチキーシステムに変更し、ブザーを１回鳴動した後、通常モードへ復帰する（ＳＴ２１４、ＳＴ２１５、ＳＴ２２０）。タッチキーシステムである場合にはスマートシステムに変更し、ブザーを２回鳴動した後、通常モードへ復帰する（ＳＴ２１６、ＳＴ２１７、ＳＴ２２０）。
【００６７】
なお、コントローラ１３は、ステップＳＴ２０２において所定時間のタイマをスタートさせた後、ステップＳＴ２０３においてＲＦコード信号を受信せず、またタッチキー１５が押されないままタイムアウトになった場合（ＳＴ２１２）には、ブザー音で設定モードの終了を通知した後、通常モードヘ復帰する（ＳＴ２１８、ＳＴ２１９、ＳＴ２２０）。
【００６８】
本実施形態では、コントローラ１３は、携帯機登録モードの開始、終了の通知や登録完了の通知、操作システムの変更の通知としてブザー音の出力を行ったが、例えば表示部１６の点灯等を行う構成としてもよい。
【００６９】
上記のように、本実施形態の建物用ドア施解錠システムにおいては、建物のドア１０側に設けられる施解錠装置のコントローラ１３を、設定スイッチ２０により携帯機登録モードに切り換えた後、携帯機５０の送信スイッチ釦５１を操作するだけの簡単な操作で施解錠装置に携帯機５０を登録させることができる。また、携帯機登録モードにおいてタッチキー１５を操作するだけの簡単な操作で、操作システム変更モードへ移行して現在の操作システムを変更できる。つまり、携帯機の所持者がスマートエントリーシステムまたはタッチキーシステムのどちらかを必要に応じて選択することができる。
【実施例２】
【００７０】
図４は本発明の建物用ドア施解錠システムを建物の手動引き戸に適用した場合の一実施形態を示したものである。なお、この図は引き戸の外面側を示している。この第二の実施形態では、上記した第一実施形態における手動開閉式ドアの構成を手動引き戸に変更したものであるため、同じ構成については同一の符号で示し、その説明を省略する。
【００７１】
図４に示すように、引き戸３０はガラス部３１を有しており、戸先部３２が縦枠体３３に当接して引き戸３０が閉められる。引き戸３０の戸先部３２には、埋設するようにして第１ロック装置３４と第２ロック装置３５が設けられており、さらに、図示しないが、第１、第２ロック装置３４、３５を細長い棒状の連動杆を介して連動し、これら第１、第２ロック装置３４、３５を電動駆動によりロックさせ、また、アンロックさせる電動装置が設けてある。
【００７２】
縦枠体３３には第１、第２ロック装置３４、３５と対接する位置にＵ字形に折り曲げた棒状の係止受けが設けてある。また、戸先部３２の外面には、戸外からキ−操作が可能な第１キーシリンダ部３６と第２キーシリンダ部３７が設けてある。第１、第２ロック装置３４、３５のどちらもロックが解除された状態でドアハンドル３８を操作してラッチの係止を解放させ、引き戸３０を開き方向へ操作することができる。
【００７３】
引戸３０の戸先部３２の上部には第１コネクタ３９を、建物の縦枠体３３の上部には前記第１コネクタ３９に対接させる第２コネクタ４０をそれぞれ設けており、これら第１、第２コネクタ３９、４０が引き戸３０を閉めることによって対接し電気接続するようにしてある。建物内に配設された電源装置４１は、建物内および戸先部３２内に埋設してある配線コード４２を通じて、第１コネクタ３９、第２コネクタ４０を介して、後述するコントローラ４３、第１ロック装置３４、第２ロック装置３５へ接続されている。すなわち、引き戸３０を開き方向へ操作すると、第１コネクタ３９と第２コネクタ４０の接続が外れ、コントローラ４３、第１ロック装置３４、第２ロック装置３５への給電が遮断される。
【００７４】
電動装置の給電信号、ロック信号とアンロック信号、さらに、引き戸の開閉検出信号などは、上記の配線コード４２を通じて伝達される。
【００７５】
引き戸３０の戸先部３２には、第１、第２ロック装置３４、３５を制御するためのコントローラ４３が埋設してある。コントローラ４３は設定スイッチ４４を備えており、この設定スイッチ４４は、図示しないが、引き戸３０の自由端側の端面に開口した小孔から差し込まれるピン等の工具類によりスイッチ動作させることができるようになっており、小孔には着脱可能な栓、例えば小ねじがねじ込まれて取り付けられている。
【００７６】
また、戸先部３２の外面には操作盤４５が配設してあり、タッチキー４６、施解錠の表示部４７、コード信号の送受信部所４８を有している。操作盤４５の送受信信号はコントローラ４３によって信号処理される。
【００７７】
図５は第２の実施形態の建物用ドア施解錠システムにおける施解錠装置が携帯機登録モードおよび操作システム変更モードの際のコントローラの処理動作を示すフローチャートである。なお、通常モードについては、第１の実施形態と同じであるため説明を省略する。
【００７８】
施解錠装置のコントローラ４３は、設定スイッチ４４が押し操作されると、図５に示すように、まず、例えば１０秒に時間設定されたタイマをセット（開始）して、引き戸が閉じられるのを待つ（ＳＴ３００、ＳＴ３０１、ＳＴ３０２）。
【００７９】
引き戸３０が閉じられると、コントローラ４３は携帯機登録モードが開始されたことを通知するブザーを鳴動し、携帯機登録モードへ移行する（ＳＴ３０４、ＳＴ３０５）。この後のステップについては、上記第１の実施形態の図３のステップＳＴ２０２からステップＳＴ２１９までの構成と同様である。携帯機登録モードもしくは操作システム変更モードを終えると通常モードへ戻る。
【００８０】
登録スイッチ４４が押し操作されてから、引き戸３０が閉じられずに１０秒が経過した場合は、通常モードへ復帰する（ＳＴ３０２、ＳＴ３０３、ＳＴ３０６）。１０秒が経過していない場合にはステップＳＴ３０２へ戻る。
【００８１】
なお、引き戸３０を一旦閉じた後、携帯機登録モードの途中で引き戸３０が開けられた場合には、コントローラ４４への電源が遮断され、登録モードを途中で終了する。次にコントローラ４４へ通電される際には通常モードで開始される。
【００８２】
上記の第２の実施形態においても、携帯機登録モードの開始、終了の通知や登録完了の通知、操作システムの変更の通知としてブザー音の出力を行うが、例えば表示部４７の点灯等を行う構成としてもよい。
【００８３】
上記のように、この第２の実施形態の建物用ドア施解錠システムにおいては、引き戸３０を備えた玄関等のような場合でも、第１の実施形態と同様に、簡単な操作で施解錠装置に携帯機５０を登録させることができ、また、携帯機登録モードにおいてタッチキー４６を操作するだけの簡単な操作で、操作システム変更モードへ移行して現在の操作システムを変更できる。
【００８４】
以上、図示実施形態につき説明したが、本発明は上記実施形態のみに限られず、種々の変更が可能である。
【００８５】
例えば、上記第１、第２の実施の形態では手動式のドアに適用される施解錠システムについて説明したが、施解錠信号に応じて自動的に開閉される自動扉に適用しても良い。
【００８６】
また、上記第２の実施形態では建物の手動引き戸に適用した場合の一実施形態を示したが、手動開閉式ドアに適用しても良い。
【００８７】
さらに、上記第１、第２の実施の形態ではドアの自由端の端面に設定スイッチを形成しているが、設定スイッチを室内、例えば室内操作盤に形成しても良い。その場合には、ドアを開けることなく携帯機登録あるいは操作システムの変更が行えるため、さらに利便性が高くなる。このとき、操作システム変更モードへの切り換えは、室内側に形成されたタッチキーを操作して行うことができる。
【図面の簡単な説明】
【００８８】
【図１】（ａ）、（ｂ）はそれぞれ本発明を建物の手動開閉式ドアに適用した建物用ドア施解錠システムを示す要部斜視図である。（実施例１）
【図２】図１の建物用ドア施解錠システムにおける施解錠装置が通常モードのときのコントローラの処理動作を示すフローチャートである。（実施例１）
【図３】図１の建物用ドア施解錠システムにおける施解錠装置が携帯機登録モードおよび操作システム変更モードのときのコントローラの処理動作を示すフローチャートである。（実施例１）
【図４】本発明を建物の手動引き戸に適用した建物用ドア施解錠システムを示す要部斜視図である。（実施例２）
【図５】図４の建物用ドア施解錠システムにおける施解錠装置が携帯機登録モードおよび操作システム変更モードのときのコントローラの処理動作を示すフローチャートである。（実施例２）
【符号の説明】
【００８９】
１０    ドア
１１    外側錠部
１３    コントローラ
１５    タッチキー
２０    設定スイッチ
２１    ドアの小孔
２２    ピン（工具類）
２３    栓（小ねじ）
３０    引き戸
４３    コントローラ
４４    設定スイッチ
４５    操作盤
４６    タッチキー
５０    携帯機
５１    送信スイッチ釦
【図１】
2005155267.tif 000003
【図２】
2005155267.tif 000004
【図３】
2005155267.tif 000005
【図４】
2005155267.tif 000006
【図５】
2005155267.tif 000007